(57)【要約】【課題】有価媒体の残置回収処理を効率良く行うことができる有価媒体処理装置、有価媒体処理システム、プログラムおよび有価媒体処理方法を提供する。【解決手段】有価媒体処理装置１０の制御部５０は、残置回収処理を行う際に、カセット接続部（例えば、カセット装着部２６）に接続された第２のカセット（例えば、収納カセット３６）に収納されている第２の種別の有価媒体（例えば、千円札）のうち、残置回収処理において回収されるべき有価媒体を、カセット装着部（例えば、カセット装着部２２）に装着された第１のカセット（例えば、収納カセット３２）に送るよう搬送部１４の制御を行う。【選択図】図５
2019079180.tif 000002
【特許請求の範囲】
【請求項１】
着脱可能な第１のカセットが装着された状態において、当該第１のカセットに収納されている第１の種別の有価媒体が繰出可能であるカセット装着部と、
第２のカセットが接続された状態において、当該第２のカセットに収納されている、前記第１の種別の有価媒体よりも出金すべき数量が多い第２の種別の有価媒体が繰出可能であるカセット接続部と、
前記カセット装着部に装着された前記第１のカセットおよび前記カセット接続部に接続された前記第２のカセットから繰り出された有価媒体を搬送する搬送部と、
残置回収処理を行う際に、前記カセット接続部に接続された前記第２のカセットに収納されている前記第２の種別の有価媒体のうち、残置回収処理において回収されるべき有価媒体を、前記カセット装着部に装着された前記第１のカセットに送るよう前記搬送部の制御を行う制御部と、
を備えた、有価媒体処理装置。
【請求項２】
前記制御部は、全回収処理を行う際に、所定の条件が満たされる場合には、前記カセット接続部に接続された前記第２のカセットに収納されている前記第２の種別の有価媒体のうち、全回収処理において回収されるべき有価媒体を、前記カセット装着部に装着された前記第１のカセットに送るよう前記搬送部の制御を行う、請求項１記載の有価媒体処理装置。
【請求項３】
前記第２のカセットは前記カセット接続部に着脱可能であり、
前記制御部は、全回収処理を行う際に、所定の条件が満たされない場合には、前記カセット装着部に装着された前記第１のカセットに収納されている前記第１の種別の有価媒体のうち、全回収処理において回収されるべき有価媒体を、前記カセット接続部に装着された前記第２のカセットに送るよう前記搬送部の制御を行う、請求項１または２記載の有価媒体処理装置。
【請求項４】
所定の条件は、全回収処理において回収されるべき有価媒体の数量が、前記カセット装着部に装着された前記第１のカセットの最大収納量以下である、請求項２または３記載の有価媒体処理装置。
【請求項５】
操作者に対して報知を行うための報知部を更に備え、
前記制御部は、回収された有価媒体が収納されているカセットに関する情報の報知を行うよう前記報知部の制御を行う、請求項１乃至４のいずれか一項に記載の有価媒体処理装置。
【請求項６】
前記カセット装着部は、当該カセット装着部に装着されている前記第１のカセットを取り外し不可とするようロックするロック機構を有しており、
前記制御部は、残置回収処理を行う際に、前記カセット接続部に接続された前記第２のカセットに収納されている前記第２の種別の有価媒体のうち、残置回収処理において回収されるべき有価媒体を、前記カセット装着部に装着された前記第１のカセットに送った後、前記第１のカセットのロックを解除するよう前記ロック機構の制御を行う、請求項１乃至５のいずれか一項に記載の有価媒体処理装置。
【請求項７】
着脱可能な第１のカセットが装着された状態において、当該第１のカセットに収納されている第１の種別の有価媒体が繰出可能であるカセット装着部、
第２のカセットが接続された状態において、当該第２のカセットに収納されている、前記第１の種別の有価媒体よりも出金すべき数量が多い第２の種別の有価媒体が繰出可能であるカセット接続部、
および前記カセット装着部に装着された前記第１のカセットおよび前記カセット接続部に接続された前記第２のカセットから繰り出された有価媒体を搬送する搬送部
を有する有価媒体処理装置と、
前記有価媒体処理装置とは別に設けられ、前記有価媒体処理装置に対して通信可能に接続された、前記有価媒体処理装置の管理を行う管理装置と、
を備え、
前記管理装置は、前記有価媒体処理装置において残置回収処理を行う際に、前記カセット接続部に接続された前記第２のカセットに収納されている前記第２の種別の有価媒体のうち、残置回収処理において回収されるべき有価媒体を、前記カセット装着部に装着された前記第１のカセットに送るよう前記搬送部の制御を行う制御部を有している、有価媒体処理システム。
【請求項８】
着脱可能な第１のカセットが装着された状態において、当該第１のカセットに収納されている第１の種別の有価媒体が繰出可能であるカセット装着部、
第２のカセットが接続された状態において、当該第２のカセットに収納されている、前記第１の種別の有価媒体よりも出金すべき数量が多い第２の種別の有価媒体が繰出可能であるカセット接続部、
および前記カセット装着部に装着された前記第１のカセットおよび前記カセット接続部に接続された前記第２のカセットから繰り出された有価媒体を搬送する搬送部
を有する有価媒体処理装置を備えた有価媒体処理システムのコンピュータにより実行することが可能なプログラムであって、当該プログラムを実行することにより、前記コンピュータが前記有価媒体処理装置を制御して有価媒体処理方法を実行させるものにおいて、
前記有価媒体処理方法が、
残置回収処理を行う際に、前記カセット接続部に接続された前記第２のカセットに収納されている前記第２の種別の有価媒体のうち、残置回収処理において回収されるべき有価媒体を当該第２のカセットから前記搬送部に繰り出す工程と、
前記搬送部に繰り出された有価媒体を前記カセット装着部に装着された前記第１のカセットに送る工程と、
を備えている、プログラム。
【請求項９】
着脱可能な第１のカセットが装着された状態において、当該第１のカセットに収納されている第１の種別の有価媒体が繰出可能であるカセット装着部、
第２のカセットが接続された状態において、当該第２のカセットに収納されている、前記第１の種別の有価媒体よりも出金すべき数量が多い第２の種別の有価媒体が繰出可能であるカセット接続部、
および前記カセット装着部に装着された前記第１のカセットおよび前記カセット接続部に接続された前記第２のカセットから繰り出された有価媒体を搬送する搬送部
を有する有価媒体処理装置による有価媒体処理方法であって、
残置回収処理を行う際に、前記カセット接続部に接続された前記第２のカセットに収納されている前記第２の種別の有価媒体のうち、残置回収処理において回収されるべき有価媒体を当該第２のカセットから前記搬送部に繰り出す工程と、
前記搬送部に繰り出された有価媒体を前記カセット装着部に装着された前記第１のカセットに送る工程と、
を備えた、有価媒体処理方法。
【発明の詳細な説明】
【技術分野】
【０００１】
本発明は、貨幣や商品券等の有価媒体の処理を行う有価媒体処理装置、有価媒体処理システム、プログラムおよび有価媒体処理方法に関する。
【背景技術】
【０００２】
貨幣や商品券等の有価媒体の処理を行う有価媒体処理装置において、有価媒体を収納する収納カセットが着脱可能に装着されるカセット装着部が設けられたものが従来から知られている。このような有価媒体処理装置では、収納カセットを用いて有価媒体の回収処理や補充処理を行うことができるようになっている。具体的には、収納カセットを用いて有価媒体の回収処理を行うときには、空の収納カセットをカセット装着部に取り付ける。このことにより、有価媒体処理装置の各収納部に収納されている有価媒体がカセット装着部に装着されている収納カセットに送られるようになる。そして、有価媒体が収納カセットに収納された後、この収納カセットをカセット装着部から取り外すことにより、有価媒体を収納カセットごと回収することができるようになる。また、収納カセットを用いて有価媒体の補充処理を行うときには、有価媒体処理装置に補充されるべき有価媒体を、当該有価媒体処理装置から取り外された状態にある収納カセットに予め収納しておく。そして、この収納カセットをカセット装着部に装着すると、カセット装着部に装着された収納カセットから有価媒体が繰り出されてこの繰り出された有価媒体は識別部により識別された後に有価媒体処理装置の各収納部に送られるようになる。
【０００３】
また、特許文献１には、金種の識別を行うことができなかった等、正常ではないと判断された貨幣を除き、装置内の全ての貨幣を回収する全回収処理、および、装置内の一部の貨幣を釣銭用等として残置する残置回収処理をそれぞれ行うことができる貨幣処理装置が開示されている。特許文献１に開示される貨幣処理装置では、貨幣の全回収処理や残置回収処理が行われる際に、回収対象となる貨幣が収納される専用のカセット（回収カセット）が用いられるようになっている。しかしながら、特許文献１に開示される貨幣処理装置では、専用のカセットを装置内に設けるスペースが必要となるため、装置が大型化してしまうという問題があった。
【０００４】
これに対し、特許文献２に開示される貨幣処理装置では、釣銭としての使用頻度も高い千円札が収納される収納カセットに、装置内に収納されている紙幣を送って全回収処理を行うようになっている。このような特許文献２に開示される貨幣処理装置では、専用のカセットを装置内に設けるスペースを必要としなくてもよい。
【先行技術文献】
【特許文献】
【０００５】
【特許文献１】特許第４３９１１８１号
【特許文献２】特許第５３５４４１１号
【発明の概要】
【発明が解決しようとする課題】
【０００６】
しかしながら、特許文献２に開示される貨幣処理装置では、上述したように千円札は釣銭としての使用頻度も高いため、残置回収処理を行う際に装置内に収納されている紙幣を千円札の収納カセットに送ることができない。このため、残置回収処理を行うためには、千円札の収納カセットとは別に、残置回収処理のための専用の回収カセットを設けるスペースが必要となる。また、残置回収処理のための専用の回収カセットを設けない場合には、全回収処理が完了した後に釣銭としての紙幣を貨幣処理装置に補充する作業が必要となる。
【０００７】
本発明は、このような点を考慮してなされたものであり、有価媒体の残置回収処理を効率良く行うことができる有価媒体処理装置、有価媒体処理システム、プログラムおよび有価媒体処理方法を提供することを目的とする。
【課題を解決するための手段】
【０００８】
本発明の有価媒体処理装置は、着脱可能な第１のカセットが装着された状態において、当該第１のカセットに収納されている第１の種別の有価媒体が繰出可能であるカセット装着部と、第２のカセットが接続された状態において、当該第２のカセットに収納されている、前記第１の種別の有価媒体よりも出金すべき数量が多い第２の種別の有価媒体が繰出可能であるカセット接続部と、前記カセット装着部に装着された前記第１のカセットおよび前記カセット接続部に接続された前記第２のカセットから繰り出された有価媒体を搬送する搬送部と、残置回収処理を行う際に、前記カセット接続部に接続された前記第２のカセットに収納されている前記第２の種別の有価媒体のうち、残置回収処理において回収されるべき有価媒体を、前記カセット装着部に装着された前記第１のカセットに送るよう前記搬送部の制御を行う制御部と、を備えたことを特徴とする。
【０００９】
このような有価媒体処理装置によれば、残置回収処理を行う際に、第２のカセットに収納されている第２の種別の有価媒体のうち、残置回収処理において回収されるべき有価媒体を、カセット装着部に装着された第１のカセットに送ることによって、第１のカセットにより有価媒体を回収することができるようになる。このように、第２のカセットよりも、収納している有価媒体を出金すべき数量が少ない第１のカセットにより有価媒体を回収することによって、有価媒体の残置回収処理を効率良く行うことができる。
【００１０】
本発明の有価媒体処理装置においては、前記制御部は、全回収処理を行う際に、所定の条件が満たされる場合には、前記カセット接続部に接続された前記第２のカセットに収納されている前記第２の種別の有価媒体のうち、全回収処理において回収されるべき有価媒体を、前記カセット装着部に装着された前記第１のカセットに送るよう前記搬送部の制御を行ってもよい。
【００１１】
また、前記第２のカセットは前記カセット接続部に着脱可能であり、前記制御部は、全回収処理を行う際に、所定の条件が満たされない場合には、前記カセット装着部に装着された前記第１のカセットに収納されている前記第１の種別の有価媒体のうち、全回収処理において回収されるべき有価媒体を、前記カセット接続部に装着された前記第２のカセットに送るよう前記搬送部の制御を行ってもよい。
【００１２】
また、所定の条件は、全回収処理において回収されるべき有価媒体の数量が、前記カセット装着部に装着された前記第１のカセットの最大収納量以下であってもよい。
【００１３】
本発明の有価媒体処理装置は、操作者に対して報知を行うための報知部を更に備え、前記制御部は、回収された有価媒体が収納されているカセットに関する情報の報知を行うよう前記報知部の制御を行ってもよい。
【００１４】
また、前記カセット装着部は、当該カセット装着部に装着されている前記第１のカセットを取り外し不可とするようロックするロック機構を有しており、前記制御部は、残置回収処理を行う際に、前記カセット接続部に接続された前記第２のカセットに収納されている前記第２の種別の有価媒体のうち、残置回収処理において回収されるべき有価媒体を、前記カセット装着部に装着された前記第１のカセットに送った後、前記第１のカセットのロックを解除するよう前記ロック機構の制御を行ってもよい。
【００１５】
本発明の有価媒体処理システムは、着脱可能な第１のカセットが装着された状態において、当該第１のカセットに収納されている第１の種別の有価媒体が繰出可能であるカセット装着部、第２のカセットが接続された状態において、当該第２のカセットに収納されている、前記第１の種別の有価媒体よりも出金すべき数量が多い第２の種別の有価媒体が繰出可能であるカセット接続部、および前記カセット装着部に装着された前記第１のカセットおよび前記カセット接続部に接続された前記第２のカセットから繰り出された有価媒体を搬送する搬送部を有する有価媒体処理装置と、前記有価媒体処理装置とは別に設けられ、前記有価媒体処理装置に対して通信可能に接続された、前記有価媒体処理装置の管理を行う管理装置と、を備え、前記管理装置は、前記有価媒体処理装置において残置回収処理を行う際に、前記カセット接続部に接続された前記第２のカセットに収納されている前記第２の種別の有価媒体のうち、残置回収処理において回収されるべき有価媒体を、前記カセット装着部に装着された前記第１のカセットに送るよう前記搬送部の制御を行う制御部を有していてもよい。
【００１６】
本発明のプログラムは、着脱可能な第１のカセットが装着された状態において、当該第１のカセットに収納されている第１の種別の有価媒体が繰出可能であるカセット装着部、第２のカセットが接続された状態において、当該第２のカセットに収納されている、前記第１の種別の有価媒体よりも出金すべき数量が多い第２の種別の有価媒体が繰出可能であるカセット接続部、および前記カセット装着部に装着された前記第１のカセットおよび前記カセット接続部に接続された前記第２のカセットから繰り出された有価媒体を搬送する搬送部を有する有価媒体処理装置を備えた有価媒体処理システムのコンピュータにより実行することが可能なプログラムであって、当該プログラムを実行することにより、前記コンピュータが前記有価媒体処理装置を制御して有価媒体処理方法を実行させるものにおいて、前記有価媒体処理方法が、残置回収処理を行う際に、前記カセット接続部に接続された前記第２のカセットに収納されている前記第２の種別の有価媒体のうち、残置回収処理において回収されるべき有価媒体を当該第２のカセットから前記搬送部に繰り出す工程と、前記搬送部に繰り出された有価媒体を前記カセット装着部に装着された前記第１のカセットに送る工程と、を備えていてもよい。
【００１７】
本発明の有価媒体処理方法は、着脱可能な第１のカセットが装着された状態において、当該第１のカセットに収納されている第１の種別の有価媒体が繰出可能であるカセット装着部、第２のカセットが接続された状態において、当該第２のカセットに収納されている、前記第１の種別の有価媒体よりも出金すべき数量が多い第２の種別の有価媒体が繰出可能であるカセット接続部、および前記カセット装着部に装着された前記第１のカセットおよび前記カセット接続部に接続された前記第２のカセットから繰り出された有価媒体を搬送する搬送部を有する有価媒体処理装置による有価媒体処理方法であって、残置回収処理を行う際に、前記カセット接続部に接続された前記第２のカセットに収納されている前記第２の種別の有価媒体のうち、残置回収処理において回収されるべき有価媒体を当該第２のカセットから前記搬送部に繰り出す工程と、前記搬送部に繰り出された有価媒体を前記カセット装着部に装着された前記第１のカセットに送る工程と、を備えていてもよい。
【００１８】
このような有価媒体処理システム、プログラム、有価媒体処理方法によれば、有価媒体処理装置において有価媒体の残置回収処理を行う際に、第２のカセットに収納されている第２の種別の有価媒体のうち、残置回収処理において回収されるべき有価媒体を、カセット装着部に装着された第１のカセットに送ることによって、第１のカセットにより有価媒体を回収することができるようになる。このように、第２のカセットよりも、収納している有価媒体を出金すべき数量が少ない第１のカセットにより有価媒体を回収することによって、有価媒体の残置回収処理を効率良く行うことができる。
【発明の効果】
【００１９】
本発明の有価媒体処理装置、有価媒体処理システム、プログラムおよび有価媒体処理方法によれば、有価媒体の残置回収処理を効率良く行うことができる。
【図面の簡単な説明】
【００２０】
【図１】本発明の実施の形態に係る有価媒体処理装置の内部構成を概略的に示す構成図である。
【図２】図１に示す有価媒体処理装置における制御系の構成を示す機能ブロック図である。
【図３】図１に示す有価媒体処理装置と当該有価媒体処理装置の管理を行う管理装置とから構成される有価媒体処理システムを概略的に示す構成図である。
【図４】図１に示す有価媒体処理装置における有価媒体の回収処理の動作を示すフローチャートである。
【図５】（ａ）〜（ｃ）は、図１に示す有価媒体処理装置における有価媒体の回収処理の動作の一例を示す説明図である。
【図６】（ａ）〜（ｃ）は、図１に示す有価媒体処理装置における有価媒体の回収処理の動作の他の例を示す説明図である。
【図７】（ａ）〜（ｃ）は、図１に示す有価媒体処理装置における有価媒体の回収処理の動作の更に他の例を示す説明図である。
【発明を実施するための形態】
【００２１】
以下、図面を参照して本発明の実施の形態について説明する。図１乃至図７は、本実施の形態に係る有価媒体処理装置およびこのような有価媒体処理装置による有価媒体処理方法を示す図である。
【００２２】
図１等に示す有価媒体処理装置１０は、商業施設等において自動券売機や電子マネーチャージ機の内部に搭載されるものであり、紙幣や商品券等の有価媒体の入金処理や出金処理等の様々な処理を行うようになっている。図１は、このような有価媒体処理装置１０の内部構成を概略的に示す構成図である。ここで、図１における有価媒体処理装置１０の右側の面が当該有価媒体処理装置１０を正面側から見たときの前面となり、図１における左方向が有価媒体処理装置１０の奥行き方向となっている。
【００２３】
図１に示すように、有価媒体処理装置１０を正面側から見たときの前面には入金部１２および払出部１８がそれぞれ設けられている。ここで、顧客等の操作者が有価媒体処理装置１０に紙幣等の有価媒体を入金したい場合には、当該操作者は入金部１２に有価媒体をまとめて投入するようになっている。また、入金部１２には繰出機構１２ａが設けられており、入金部１２に投入された有価媒体は繰出機構１２ａにより１枚ずつ後述する搬送部１４に繰り出されるようになっている。また、図１に示すように、搬送部１４における入金部１２の近傍には入金識別部１３が設けられており、入金部１２から繰出機構１２ａにより搬送部１４に繰り出された有価媒体は入金識別部１３により識別されるようになっている。このような入金識別部１３は後述する識別部１６と略同一の機能を果たすようになっている。一方、有価媒体処理装置１０から紙幣等の有価媒体が出金される場合には、出金されるべき有価媒体が後述する搬送部１４により払出部１８に送られてこの払出部１８に集積されるようになっている。そして、出金されるべき有価媒体が全て払出部１８に集積されると、払出部１８から束状態の有価媒体が操作者側に（すなわち、図１における右方向に）飛び出すようになっている。このことにより、操作者は払出部１８から飛び出した束状態の有価媒体を取り出すことができるようになる。
【００２４】
また、図１に示すように、有価媒体処理装置１０の筐体の内部において入金部１２や払出部１８の下方にはリジェクト部２０および３つのカセット装着部２２、２４、２６が鉛直方向に沿って並ぶよう設けられている。リジェクト部２０は、有価媒体の出金処理において、後述する識別部１６による識別結果に基づいて有価媒体処理装置１０から払い出されるべきではないと判定された有価媒体が収納されるようになっている。なお、「識別部１６による識別結果に基づいて有価媒体処理装置１０から払い出されるべきではないと判定される」とは、搬送異常により識別不可の場合以外にも、出金対象の種類の紙幣や商品券ではない場合も有価媒体処理装置１０から払い出されるべきではないと判定されることをいう。また、リジェクト部２０に収納された有価媒体は、有価媒体処理装置１０の筐体の側面に設けられた扉（図示せず）を開くことによって取り出すことができるようになっている。また、このような扉は特定の権限を有する者（例えば、商業施設等の管理者）のみが開くことができるようになっている。
【００２５】
また、各カセット装着部２２、２４、２６にはそれぞれ有価媒体を収納する収納カセット３２、３４、３６が着脱可能に装着されるようになっている。各カセット装着部２２、２４、２６に装着される収納カセット３２、３４、３６に収納されるべき有価媒体の種類の詳細については後述する。また、図１に示すように、有価媒体処理装置１０の筐体の内部には搬送部１４が設けられており、当該搬送部１４により入金部１２、払出部１８、リジェクト部２０、各カセット装着部２２、２４、２６に装着されている収納カセット３２、３４、３６の間で有価媒体が１枚ずつ搬送されるようになっている。また、搬送部１４には識別部１６が設けられており、この識別部１６は、当該識別部１６を通過する有価媒体をイメージセンサ等によって撮像することにより当該有価媒体の画像に基づいて有価媒体の識別を行うようになっている。具体的には、搬送部１４により搬送される有価媒体が例えば紙幣である場合には、識別部１６は当該紙幣の金種、真偽、正損、新旧、搬送状態等の識別を行うようになっている。また、搬送部１４により搬送される有価媒体が例えば商品券である場合には、識別部１６は当該商品券の発行元の会社名、商品券の種類、金額、搬送状態等の識別を行うようになっている。
【００２６】
各カセット装着部２２、２４、２６に着脱可能に装着される収納カセット３２、３４、３６には複数の有価媒体が積層状態で収納されるようになっている。なお、各収納カセット３２、３４、３６に収納されている有価媒体を図１において参照符合Ｐで示す。ここで、収納カセット３２、３４、３６がカセット装着部２２、２４、２６に装着されているときに、搬送部１４から収納カセット３２、３４、３６に送られた有価媒体が当該収納カセット３２、３４、３６に収納されるようになっている。また、収納カセット３２、３４、３６にはそれぞれ繰出機構３２ａ、３４ａ、３６ａが設けられており、収納カセット３２、３４、３６がカセット装着部２２、２４、２６に装着されているときに、有価媒体処理装置１０の本体側から収納カセット３２、３４、３６の繰出機構３２ａ、３４ａ、３６ａに動力が与えられることにより、これらの繰出機構３２ａ、３４ａ、３６ａによって収納カセット３２、３４、３６に収納されている有価媒体が１枚ずつ搬送部１４に繰り出されるようになっている。また、収納カセット３２、３４、３６には、当該収納カセット３２、３４、３６に収納されている有価媒体に関する情報等の様々な情報を記憶するＩＣタグ等の記憶媒体（図示せず）が設けられている。
【００２７】
また、収納カセット３２、３４、３６が着脱可能に装着されるカセット装着部２２、２４、２６は、ロック機構２２ａ、２４ａ、２６ａおよびリーダライタ２２ｂ、２４ｂ、２６ｂをそれぞれ有している（図２参照）。各ロック機構２２ａ、２４ａ、２６ａは、各カセット装着部２２、２４、２６に収納カセット３２、３４、３６が装着されているときに当該収納カセット３２、３４、３６がカセット装着部２２、２４、２６から外れないようロックするようになっている。また、このような各ロック機構２２ａ、２４ａ、２６ａによるロックが解除されると、商業施設の店員等の操作者はカセット装着部２２、２４、２６から収納カセット３２、３４、３６を取り出すことができるようになる。また、各リーダライタ２２ｂ、２４ｂ、２６ｂは、各カセット装着部２２、２４、２６に収納カセット３２、３４、３６が装着されているときに当該収納カセット３２、３４、３６に設けられた記憶媒体から情報を読み取ったり当該記憶媒体に情報を書き込んだりするようになっている。
【００２８】
また、本実施の形態では、カセット装着部２２に装着される収納カセット３２には概して一万円札が収納されるようになっており、カセット装着部２４に装着される収納カセット３４には概して五千円札が収納されるようになっており、カセット装着部２６に装着される収納カセット３６には概して千円札が収納されるようになっている。そして、有価媒体処理装置１０における紙幣の入金処理において、操作者によって入金部１２に紙幣が投入された場合には、入金部１２の繰出機構１２ａにより搬送部１４に繰り出された紙幣が入金識別部１３によって識別された後に各カセット装着部２２、２４、２６に装着されている収納カセット３２、３４、３６に紙幣が金種毎に送られるようになっている。なお、紙幣の入金処理において、入金部１２の繰出機構１２ａにより搬送部１４に繰り出された紙幣が入金識別部１３によって識別される代わりに識別部１６により識別されるようになっていてもよい。
【００２９】
また、有価媒体処理装置１０における釣銭としての紙幣の出金処理においては、各カセット装着部２４、２６に装着されている収納カセット３４、３６から五千円札や千円札が搬送部１４に繰り出され、この繰り出された紙幣は識別部１６によって識別された後に払出部１８に送られるようになっている。
【００３０】
本実施の形態の有価媒体処理装置１０では、概して、各収納カセット３２、３４、３６の容量は同一となっている。しかしながら、有価媒体処理装置１０から釣銭として紙幣が出金される際に、このような釣銭としての紙幣は概ね千円札であることから、千円札が収納される収納カセット３６の最大収納量を、一万円札や五千円札が収納される収納カセット３２、３４の最大収納量よりも大きくする場合もある。この場合には、千円札の収納カセット３６のサイズが、一万円札の収納カセット３２や五千円札の収納カセット３４のサイズよりも大きくなる。以下の説明では、千円札が収納される収納カセット３６の最大収納量が、一万円札や五千円札が収納される収納カセット３２、３４の最大収納量よりも大きいような態様について述べるが、本発明の範囲はこのような態様に限定されることはなく、各収納カセット３２、３４、３６の容量が同一である態様も本発明の範囲に含まれるものとする。
【００３１】
また、有価媒体処理装置１０に収納されている紙幣を回収する際には、カセット装着部２２、２４、２６に装着されている収納カセット３２、３４、３６が当該カセット装着部２２、２４、２６から取り外されるようになっている。ここで、有価媒体処理装置１０における紙幣の回収処理についての詳細については後述する。
【００３２】
次に、このような有価媒体処理装置１０の制御系の構成について図２を用いて説明する。図２に示すように、有価媒体処理装置１０にはＣＰＵ（中央演算処理ユニット）等の制御部５０が設けられており、入金部１２（具体的には、繰出機構１２ａ）、入金識別部１３、搬送部１４、識別部１６、カセット装着部２２、２４、２６（具体的には、ロック機構２２ａ、２４ａ、２６ａやリーダライタ２２ｂ、２４ｂ、２６ｂ）等がそれぞれ当該制御部５０に接続されている。そして、入金識別部１３や識別部１６による有価媒体の識別結果や、各リーダライタ２２ｂ、２４ｂ、２６ｂにより収納カセット３２、３４、３６の記憶媒体から読み取られた情報が入金識別部１３、識別部１６、各リーダライタ２２ｂ、２４ｂ、２６ｂから制御部５０に送られるようになっている。また、制御部５０は、入金部１２、搬送部１４、カセット装着部２２、２４、２６等の各構成部材に指令信号を送ることによりこれらの構成部材の制御を行うようになっている。
【００３３】
また、図２に示すように、制御部５０には操作表示部５２、報知部５３、記憶部５４および通信部５６がそれぞれ接続されている。操作表示部５２は例えば有価媒体処理装置１０の前面や上面に設けられたタッチパネルから構成されており、当該操作表示部５２は、各カセット装着部２２、２４、２６に装着されている収納カセット３２、３４、３６に収納されている有価媒体の枚数や合計金額等の様々な情報を表示するようになっている。また、操作者は操作表示部５２により制御部５０に対して様々な指令を入力することができるようになっている。
【００３４】
また、報知部５３は、後述する紙幣の回収処理が行われる際に回収された紙幣が収納されている収納カセット３２、３４、３６に関する情報の報知を行うようになっている。具体的には、有価媒体処理装置１０を正面側から見たときの前面において、各カセット装着部２２、２４、２６に対応して３つのＬＥＤランプが上下方向に並ぶよう設けられている。そして、後述する紙幣の回収処理が行われる際に、回収された紙幣が収納されている収納カセット３２、３４、３６が装着されているカセット装着部２２、２４、２６に対応するＬＥＤランプが点灯するようになる。このことにより、回収された紙幣が収納されている収納カセット３２、３４、３６に関する情報の報知が操作者に対して行われるようになる。また、各カセット装着部２２、２４、２６に対応して設けられた３つのＬＥＤランプにより操作者に対して報知が行われる代わりに、回収された紙幣が収納されている収納カセット３２、３４、３６に関する情報が操作表示部５２にイラストや文字等によって表示されることにより操作者に対する報知が行われるようになっていてもよい。この場合には、操作表示部５２が、紙幣の回収処理が行われる際に回収された紙幣が収納されている収納カセット３２、３４、３６に関する情報の報知を行う報知部として機能するようになる。また、記憶部５４およびリーダライタ２２ｂ、２４ｂ、２６ｂには、各カセット装着部２２、２４、２６に装着されている収納カセット３２、３４、３６に収納されている有価媒体の枚数や合計金額等の様々な情報が記憶されるようになっている。
【００３５】
また、制御部５０は通信部５６（具体的には、通信インターフェース）により外部装置に対して有線または無線により上位端末等の外部装置と様々な信号の送受信を行うようになっている。なお、別の例として、通信部５６が設けられておらず、有価媒体処理装置１０がスタンドアローンタイプのものとして用いられるようになっていてもよい。
【００３６】
また、制御部５０には、有価媒体処理装置１０で実行される各種処理を制御部５０による制御にて実現するためのプログラム５９が記憶された記憶媒体５８が接続されている。このような記憶媒体５８はＲＯＭやＲＡＭなどのメモリー、フラッシュメモリ、ハードディスク、ＣＤ−ＲＯＭ、ＤＶＤ−ＲＯＭなどのディスク状記憶媒体、その他の公知な記憶媒体から構成され得る。記憶媒体５８は有価媒体処理装置１０に内蔵されていてもよいし、あるいは、有価媒体処理装置１０に対して取り付け可能な外部装置であってもよい。記憶媒体５８が制御部５０に接続されると、制御部５０は記憶媒体５８に記憶されているプログラム５９に基づいて有価媒体処理装置１０の各構成部材に処理を実行させるようになっている。
【００３７】
次に、このような有価媒体処理装置１０において有価媒体（具体的には、紙幣）の入金処理、出金処理、回収処理等の様々な処理が行われるときの動作について説明する。なお、以下に示すような動作は、制御部５０が記憶媒体５８に記憶されているプログラム５９に基づいて有価媒体処理装置１０の各構成部材を制御することによって行われるようになっている。
【００３８】
まず、有価媒体処理装置１０における有価媒体の入金処理の動作について説明する。顧客等の操作者が入金部１２に有価媒体を投入すると、入金部１２に投入された有価媒体は繰出機構１２ａにより１枚ずつ搬送部１４に繰り出される。そして、搬送部１４に繰り出された有価媒体は当該搬送部１４により１枚ずつ搬送される。この際に、搬送部１４により搬送される有価媒体は入金識別部１３により識別される。ここで、入金識別部１３により識別された有価媒体が紙幣であり、かつこの紙幣が正常なものである場合には、当該紙幣は搬送部１４により各カセット装着部２２、２４、２６に装着されている収納カセット３２、３４、３６に金種毎に送られ、各収納カセット３２、３４、３６に収納される。一方、入金識別部１３により識別された有価媒体が紙幣であるが、この紙幣が偽券や損券等であったり搬送異常であったりすることにより正常なものではない場合には、当該紙幣は搬送部１４により払出部１８に送られ、この払出部１８に集積される。そして、払出部１８に集積された紙幣は当該払出部１８から操作者側に飛び出すことにより、操作者は払出部１８から飛び出した紙幣を入金部１２に再投入することができるようになる。また、制御部５０においてカセット装着部２２に装着されている収納カセット３２に一万円札以外にも商品券を収納することが設定されているときには、入金識別部１３により識別された有価媒体が商品券である場合に当該商品券は搬送部１４によりカセット装着部２２に装着されている収納カセット３２に送られ、当該収納カセット３２に収納される。一方、制御部５０においてカセット装着部２２に装着されている収納カセット３２に商品券を収納することが設定されていないときには、入金識別部１３により識別された有価媒体が商品券である場合に当該商品券は搬送部１４により払出部１８に送られ、この払出部１８に集積される。払出部１８に集積された商品券は当該払出部１８から操作者側に飛び出すことにより、操作者は払出部１８から飛び出した商品券を取ることができるようになる。そして、入金部１２に投入された有価媒体が全て各カセット装着部２２、２４、２６に装着されている収納カセット３２、３４、３６等に収納されると、有価媒体の入金処理が完了する。
【００３９】
次に、有価媒体処理装置１０における有価媒体（具体的には、紙幣）の出金処理の動作について説明する。有価媒体処理装置１０から釣銭としての紙幣が出金される際に、出金されるべき五千円札や千円札が各カセット装着部２４、２６に装着されている収納カセット３４、３６から搬送部１４に１枚ずつ繰り出される。そして、搬送部１４に繰り出された紙幣は当該搬送部１４により１枚ずつ搬送される。この際に、搬送部１４により搬送される紙幣は識別部１６により識別される。ここで、識別部１６により識別された紙幣が正常なものである場合には、当該紙幣は搬送部１４により払出部１８に送られ、この払出部１８に集積される。一方、識別部１６により紙幣の識別を行うことができなかったり、識別部１６により識別された紙幣が搬送異常などにより正常なものではなかったりした場合には、当該紙幣は搬送部１４によりリジェクト部２０に送られ、このリジェクト部２０に集積される。そして、出金されるべき五千円札や千円札が全て払出部１８に集積されると、払出部１８から束状態の紙幣が操作者側に（すなわち、図１における右方向に）飛び出す。このことにより、操作者は払出部１８から飛び出した束状態の紙幣を取り出すことができるようになる。
【００４０】
次に、有価媒体処理装置１０における有価媒体（具体的には、紙幣）の回収処理の動作について図４乃至図７を参照して説明する。なお、図４は、図１に示す有価媒体処理装置１０における有価媒体の回収処理の動作を示すフローチャートであり、図５乃至図７は、それぞれ、図１に示す有価媒体処理装置１０における有価媒体の回収処理の動作の様々な例を示す説明図である。
【００４１】
本実施の形態の有価媒体処理装置１０では、各収納カセット３２、３４、３６に収納されている全ての有価媒体を回収するような全回収処理、および各収納カセット３２、３４、３６に収納されている有価媒体のうち出金処理で用いられる釣銭としての紙幣（具体的には、五千円札および千円札）を各収納カセット３４、３６に残してそれ以外の有価媒体を回収するような残置回収処理のうちいずれか一方の回収処理を行うことができるようになっている。具体的には、商業施設の店員等の操作者が有価媒体の回収処理を行う旨の指令を操作表示部５２により制御部５０に入力する際に（ＳＴＥＰ１の「ＹＥＳ」）、回収処理の種類も入力する（ＳＴＥＰ２）。ここで、操作者により入力された回収処理の種類が残置回収処理である場合には、各収納カセット３２、３４、３６に収納されている有価媒体のうち出金処理で用いられる釣銭としての紙幣（具体的には、五千円札および千円札）が各収納カセット３４、３６に残され、それ以外の有価媒体が一万円札の収納カセット３２により回収される。このような動作について図５を用いて説明する。図５（ａ）は、残置回収処理が行われる前における各収納カセット３２、３４、３６に収納されている有価媒体の状態を示す図である。このような状態において操作者によって操作表示部５２により有価媒体の残置回収処理を行う旨の指令が制御部５０に入力されると、図５（ｂ）の矢印に示すように、五千円札の収納カセット３４や千円札の収納カセット３６に収納されている紙幣のうち、残置回収処理において回収されるべき紙幣（すなわち、出金処理で用いられる釣銭としての紙幣以外の紙幣）が、一万円札の収納カセット３２に送られる（ＳＴＥＰ３参照）。このことにより、図５（ｃ）に示すように、五千円札の収納カセット３４および千円札の収納カセット３６には、それぞれ、出金処理で用いられる釣銭としての紙幣が残され、一方、一万円札の収納カセット３２には、残置回収処理において回収されるべき有価媒体が収納された状態となる。
【００４２】
残置回収処理において回収されるべき有価媒体（具体的には、紙幣）が五千円札の収納カセット３４や千円札の収納カセット３６から一万円札の収納カセット３２に送られた後、カセット装着部２２においてロック機構２２ａによる収納カセット３２のロックが解除される。このことにより、図５（ｃ）において矢印で示すように、操作者は一万円札の収納カセット３２をカセット装着部２２から取り出すことができるようになる（ＳＴＥＰ４）。また、残置回収処理された有価媒体が一万円札の収納カセット３２に収納されていることが報知部５３により操作者に報知される（ＳＴＥＰ５）。具体的には、一万円札の収納カセット３２が装着されているカセット装着部２２に対応するＬＥＤランプが点灯する。このことにより、残置回収処理された有価媒体が、カセット装着部２２に装着されている一万円札の収納カセット３２に収納されていることを操作者は容易に気づくことができるようになる。また、残置回収処理された有価媒体が、カセット装着部２２に装着されている一万円札の収納カセット３２に収納されていることを示すイラストや文字等が操作表示部５２に表示されるようになっていてもよい。また、カセット装着部２２においてロック機構２２ａによる収納カセット３２のロックが解除された後、当該収納カセット３２が有価媒体処理装置１０の筐体の前面から操作者側（すなわち、図１における右方向）に自動的に飛び出すようになっていてもよい。この場合でも、残置回収処理された有価媒体が、カセット装着部２２に装着されている一万円札の収納カセット３２に収納されていることを操作者は容易に気づくことができるようになる。
【００４３】
このように、本実施の形態の有価媒体処理装置１０によれば、残置回収処理を行う際に、釣銭として出金すべき数量が多い千円札が収納されている収納カセット３６ではなく、この収納カセット３６よりも釣銭として出金すべき数量が少ない（例えば、釣銭として出金すべき数量が０である）一万円札の収納カセット３２に有価媒体（具体的には、紙幣）を送り、この収納カセット３２により有価媒体を回収するようになっている。なお、「出金すべき数量」とは、あくまで残置回収処理等の様々な処理が行われる際に各収納カセット３２、３４、３６から繰り出される紙幣の数量のことをいい、各収納カセット３２、３４、３６の最大収納量とは無関係である。上述したように、各収納カセット３２、３４、３６の容量が同一である場合にも、一万円札の収納カセット３２は、千円札の収納カセット３６よりも出金すべき紙幣の数量が少なくなる。
【００４４】
ここで、上述したように、釣銭として出金すべき数量が多い千円札が収納されている収納カセット３６が、釣銭としての紙幣の出金処理において出金紙幣が不足してしまうことを防止するために、最大収納量が他の収納カセット（具体的には、一万円札の収納カセット３２や五千円札の収納カセット３４）よりも大きいときには、千円札の収納カセット３６のサイズは一万円札の収納カセット３２や五千円札の収納カセット３４のサイズよりも大きくなるため、残置回収処理を行う際に千円札の収納カセット３６により有価媒体を回収した場合には操作者にとって大きな負担となる。これに対し、本実施の形態では、残置回収処理を行う際に、一万円札の収納カセット３２により有価媒体を回収しているため、カセット装着部２２から一万円札の収納カセット３２を操作者が取り出した後に当該操作者が収納カセット３２を運搬する際の負担を軽減することができるようになる。
【００４５】
なお、上述した残置回収処理が行われる際に、五千円札の収納カセット３４や千円札の収納カセット３６に収納されている紙幣のうち、残置回収処理において回収されるべき紙幣が一万円札の収納カセット３２に送られる途中で、この収納カセット３２がフル状態となった場合には、五千円札の収納カセット３４や千円札の収納カセット３６から一万円札の収納カセット３２への紙幣の送り動作が中断される。また、カセット装着部２２においてロック機構２２ａによる収納カセット３２のロックが解除される。このことにより、操作者はフル状態の一万円札の収納カセット３２をカセット装着部２２から取り外し、空状態の別の収納カセット３２をカセット装着部２２に装着させることにより、五千円札の収納カセット３４や千円札の収納カセット３６から一万円札の収納カセット３２への紙幣の送り動作を再開させることができるようになる。
【００４６】
また、操作者により入力された回収処理の種類が全回収処理である場合には、所定の条件が満たされるときに（ＳＴＥＰ６の「ＹＥＳ」）、五千円札の収納カセット３４や千円札の収納カセット３６に収納されている有価媒体（具体的には、紙幣）が全て一万円札の収納カセット３２に送られ、この一万円札の収納カセット３２により有価媒体が全て回収される。このような動作について図６を用いて説明する。なお、所定の条件としては様々な条件があるが、以下の説明では、所定の条件が、「全回収処理において回収されるべき有価媒体の数量が、カセット装着部２２に装着された一万円札の収納カセット３２の最大収納量以下である」ような態様について述べる。
【００４７】
図６（ａ）は、全回収処理が行われる前における各収納カセット３２、３４、３６に収納されている有価媒体の状態を示す図である。このような状態において操作者によって操作表示部５２により有価媒体の全回収処理を行う旨の指令が制御部５０に入力されると、所定の条件が満たされるときに（ＳＴＥＰ６の「ＹＥＳ」）、すなわち、全回収処理において回収されるべき有価媒体の数量が、カセット装着部２２に装着された一万円札の収納カセット３２の最大収納量以下であるときに、図６（ｂ）の矢印に示すように、五千円札の収納カセット３４や千円札の収納カセット３６に収納されている紙幣のうち、全回収処理において回収されるべき紙幣（すなわち、五千円札の収納カセット３４や千円札の収納カセット３６に収納されている全ての紙幣）が、一万円札の収納カセット３２に送られる（ＳＴＥＰ７参照）。このことにより、図６（ｃ）に示すように、五千円札の収納カセット３４および千円札の収納カセット３６は空状態となり、一方、一万円札の収納カセット３２には、全回収処理において回収されるべき有価媒体が収納された状態となる。
【００４８】
全回収処理において回収されるべき有価媒体（具体的には、紙幣）が五千円札の収納カセット３４や千円札の収納カセット３６から一万円札の収納カセット３２に送られた後、カセット装着部２２においてロック機構２２ａによる収納カセット３２のロックが解除される。このことにより、図６（ｃ）において矢印で示すように、操作者は一万円札の収納カセット３２をカセット装着部２２から取り出すことができるようになる（ＳＴＥＰ８）。また、全回収処理された有価媒体が一万円札の収納カセット３２に収納されていることが報知部５３により操作者に報知される（ＳＴＥＰ９）。具体的には、一万円札の収納カセット３２が装着されているカセット装着部２２に対応するＬＥＤランプが点灯する。このことにより、全回収処理された有価媒体が、カセット装着部２２に装着されている一万円札の収納カセット３２に収納されていることを操作者は容易に気づくことができるようになる。また、全回収処理された有価媒体が、カセット装着部２２に装着されている一万円札の収納カセット３２に収納されていることを示すイラストや文字等が操作表示部５２に表示されるようになっていてもよい。なお、全回収処理における操作者への報知の態様が、上記の残置回収処理における操作者への報知の態様と異なるようになっていてもよい。また、カセット装着部２２においてロック機構２２ａによる収納カセット３２のロックが解除された後、当該収納カセット３２が有価媒体処理装置１０の筐体の前面から操作者側（すなわち、図１における右方向）に自動的に飛び出すようになっていてもよい。この場合でも、全回収処理された有価媒体が、カセット装着部２２に装着されている一万円札の収納カセット３２に収納されていることを操作者は容易に気づくことができるようになる。
【００４９】
このように、本実施の形態の有価媒体処理装置１０によれば、全回収処理を行う際にも、所定の条件が満たされるときには、すなわち、全回収処理において回収されるべき有価媒体の数量が、カセット装着部２２に装着された一万円札の収納カセット３２の最大収納量以下であるときには、最大収納量が比較的少ない一万円札の収納カセット３２に有価媒体を送り、この収納カセット３２により有価媒体を回収するようになっている。全回収処理を行う際に、千円札の収納カセット３６よりも容量が小さい一万円札の収納カセット３２により有価媒体を回収する場合には、カセット装着部２２から一万円札の収納カセット３２を操作者が取り出した後に当該操作者が収納カセット３２を運搬する際の負担を軽減することができるようになる。
【００５０】
また、操作者により入力された回収処理の種類が全回収処理である場合において、所定の条件が満たされないときには（ＳＴＥＰ６の「ＮＯ」）、一万円札の収納カセット３２や五千円札の収納カセット３４に収納されている有価媒体が全て千円札の収納カセット３６に送られ、この千円札の収納カセット３６により有価媒体が全て回収される。このような動作について図７を用いて説明する。以下の説明でも、所定の条件が、「全回収処理において回収されるべき有価媒体の数量が、カセット装着部２２に装着された一万円札の収納カセット３２の最大収納量以下である」ような態様について述べる。
【００５１】
図７（ａ）は、全回収処理が行われる前における各収納カセット３２、３４、３６に収納されている有価媒体の状態を示す図である。このような状態において操作者によって操作表示部５２により有価媒体の全回収処理を行う旨の指令が制御部５０に入力されると、所定の条件が満たされないときには（ＳＴＥＰ６の「ＮＯ」）、すなわち、全回収処理において回収されるべき有価媒体の数量が、カセット装着部２２に装着された一万円札の収納カセット３２の最大収納量より多いときに、図７（ｂ）の矢印に示すように、一万円札の収納カセット３２に収納されている有価媒体や五千円札の収納カセット３４に収納されている紙幣のうち、全回収処理において回収されるべき有価媒体（すなわち、一万円札の収納カセット３２に収納されている全ての有価媒体や五千円札の収納カセット３４に収納されている全ての紙幣）が、千円札の収納カセット３６に送られる（ＳＴＥＰ１０参照）。このことにより、図７（ｃ）に示すように、一万円札の収納カセット３２および五千円札の収納カセット３４は空状態となり、一方、千円札の収納カセット３６には、全回収処理において回収されるべき有価媒体が収納された状態となる。
【００５２】
全回収処理において回収されるべき有価媒体が一万円札の収納カセット３２や五千円札の収納カセット３４から千円札の収納カセット３６に送られた後、カセット装着部２６においてロック機構２６ａによる収納カセット３６のロックが解除される。このことにより、図７（ｃ）において矢印で示すように、操作者は千円札の収納カセット３６をカセット装着部２６から取り出すことができるようになる（ＳＴＥＰ１１）。また、全回収処理された有価媒体が千円札の収納カセット３６に収納されていることが報知部５３により操作者に報知される（ＳＴＥＰ１２）。具体的には、千円札の収納カセット３６が装着されているカセット装着部２６に対応するＬＥＤランプが点灯する。このことにより、全回収処理された紙幣が、カセット装着部２６に装着されている千円札の収納カセット３６に収納されていることを操作者は容易に気づくことができるようになる。また、全回収処理された紙幣が、カセット装着部２６に装着されている千円札の収納カセット３６に収納されていることを示すイラストや文字等が操作表示部５２に表示されるようになっていてもよい。また、カセット装着部２６においてロック機構２６ａによる収納カセット３６のロックが解除された後、当該収納カセット３６が有価媒体処理装置１０の筐体の前面から操作者側（すなわち、図１における右方向）に自動的に飛び出すようになっていてもよい。この場合でも、全回収処理された紙幣が、カセット装着部２６に装着されている千円札の収納カセット３６に収納されていることを操作者は容易に気づくことができるようになる。
【００５３】
このように、全回収処理を行う際に、所定の条件が満たされないときには、すなわち、全回収処理において回収されるべき有価媒体の数量が、カセット装着部２２に装着された一万円札の収納カセット３２の最大収納量よりも多いときには、最大収納量が比較的少ない一万円札の収納カセット３２により有価媒体を回収しようとしても回収されるべき全ての有価媒体が収納カセット３２に送られる前に当該収納カセット３２がフル状態となってしまい、一回の処理で収納カセット３２により全ての有価媒体を回収することができないという問題がある。このため、所定の条件が満たされないときには、最大収納量が比較的多い千円札の収納カセット３６により有価媒体を回収することにより、一回の処理で全ての有価媒体を回収することができるようにする。
【００５４】
なお、上記の説明では、全回収処理が行われる際の「所定の条件」が、全回収処理において回収されるべき有価媒体の数量が、カセット装着部２２に装着された一万円札の収納カセット３２の最大収納量以下であるような態様について述べたが、このような態様に限定されることはない。他の例では、「所定の条件」として、全回収処理において回収されるべき有価媒体が収納される収納カセットが装着されるカセット装着部が所定の位置であることが条件となっていてもよい。具体的には、所定の条件は、収納カセットをカセット装着部から取り出して運搬する操作者にとってアクセスしやすい位置（より詳細には、操作者が、かがまなくてもよい位置）に、全回収処理において回収されるべき有価媒体が収納される収納カセットが装着されるカセット装着部が存在することとしてもよい。また、更に別の例では、全回収処理において回収されるべき有価媒体が収納される収納カセットを操作者が操作表示部５２等により指定することができるようになっていてもよい。
【００５５】
以上のような構成からなる本実施の形態の有価媒体処理装置１０やこのような有価媒体処理装置１０による有価媒体処理方法によれば、着脱可能な一万円札の収納カセット３２（第１のカセット）が装着された状態において、当該収納カセット３２に収納されている第１の種別の有価媒体（具体的には、一万円札）が繰出可能であるカセット装着部２２（カセット装着部）と、千円札の収納カセット３６（第２のカセット）が接続された状態において、当該収納カセット３６に収納されている第２の種別の有価媒体（具体的には、千円札）が繰出可能であるカセット装着部２６（カセット接続部）がそれぞれ設けられている。そして、制御部５０は、残置回収処理を行う際に、カセット装着部２６（カセット接続部）に接続された千円札の収納カセット３６（第２のカセット）に収納されている第２の種別の有価媒体のうち、残置回収処理において回収されるべき有価媒体を、カセット装着部２２（カセット装着部）に装着された一万円札の収納カセット３２（第１のカセット）に送るよう搬送部１４の制御を行うようになっている。ここで、第２の種別の有価媒体は、第１の種別の有価媒体よりも出金すべき数量が多い。また、「出金すべき数量が多い」とは、例えば、釣銭として出金すべき数量が多いことをいい、有価媒体の入金処理において各収納カセット３２、３４、３６に有価媒体が収納された後に操作者によって操作表示部５２によりキャンセルの指令が制御部５０に入力されることによって各収納カセット３２、３４、３６から繰り出されて払出部１８から払い出される有価媒体は含まないものとする。
【００５６】
このように、有価媒体の残置回収処理を行う際に、一万円札の収納カセット３２に有価媒体を送り、この収納カセット３２により有価媒体を回収するようになる。ここで、千円札の収納カセット３６よりも出金すべき数量が少ない一万円札の収納カセット３２により有価媒体を回収する場合には、有価媒体の残置回収処理を効率良く行うことができるようになる。
【００５７】
より詳細に説明すると、カセット装着部２２から一万円札の収納カセット３２を取り出した後も、千円札の収納カセット３６はカセット装着部２６に接続されたままとなるため、有価媒体処理装置１０において有価媒体の入金処理や出金処理を引き続き行うことができるようになる。とりわけ、釣銭としての紙幣の出金処理を行う際に、千円札の収納カセット３６はカセット装着部２６に接続されたままとなるため、カセット装着部２２から一万円札の収納カセット３２が取り出されても釣銭としての紙幣の出金処理を問題なく行うことができるようになる。このように、本実施の形態では、一万円札の収納カセット３２がカセット装着部２２から取り外されている状態でも有価媒体の入金処理や出金処理を行うことができるため、有価媒体の残置回収処理を効率良く行うことができる。また、一万円札は釣銭として有価媒体処理装置１０から出金されることはないため、カセット装着部２２から一万円札の収納カセット３２が取り出されても問題はない。なお、カセット装着部２２から一万円札の収納カセット３２が取り出された状態で有価媒体処理装置１０において一万円札の入金処理が行われた場合には、当該一万円札は搬送部１４によりリジェクト部２０に送られ、このリジェクト部２０に集積されるようになる。
【００５８】
なお、上記の説明では、第１の種別の有価媒体（具体的には、一万円札）よりも出金すべき数量が多い第２の種別の有価媒体が繰出可能である第２のカセットとして千円札の収納カセット３６を用いた態様について述べたが、このような態様に限定されることはない。第１の種別の有価媒体（具体的には、一万円札）よりも出金すべき数量が多い第２の種別の有価媒体が繰出可能である第２のカセットとして五千円札の収納カセット３４が用いられ、カセット接続部として収納カセット３４が接続されるカセット装着部２４が用いられるようになっていてもよい。
【００５９】
なお、本発明に係る有価媒体処理装置や有価媒体処理方法は、上述したような態様に限定されることはなく、様々な変更を加えることができる。
【００６０】
例えば、図１等に示す有価媒体処理装置１０は、複数のカセット装着部２２、２４、２６を有するとともに各カセット装着部２２、２４、２６に収納カセット３２、３４、３６がそれぞれ着脱可能に装着されるようになっているが、このような態様に限定されることはない。他の例として、一万円札の収納カセット３２は有価媒体処理装置１０に対して着脱自在に装着されるが、五千円札の収納カセット３４や千円札の収納カセット３６は有価媒体処理装置１０の外部に取り外し不可となるよう設置されるようになっていてもよい。この場合には、有価媒体処理装置１０は、五千円札の収納カセット３４や千円札の収納カセット３６がそれぞれ接続される２つのカセット接続部を有するようになる。
【００６１】
また、図３に示すように、上述した有価媒体処理装置１０と、当該有価媒体処理装置１０とは別に設けられ、この有価媒体処理装置１０の管理を行う上位端末等の管理装置６０とから、有価媒体処理システム１が構成されるようになっていてもよい。このような有価媒体処理システム１では、有価媒体処理装置１０および管理装置６０は無線または有線のＬＡＮ７０により互いに通信可能に接続されるようになる。また、管理装置６０には制御部６２が設けられており、当該制御部６２から有価媒体処理装置１０にＬＡＮ７０を介して指令信号が送られることにより有価媒体処理装置１０の各構成部材が制御されるようになっている。より詳細には、制御部６２には、有価媒体処理装置１０で実行される各種処理を制御部６２による制御にて実現するためのプログラムが記憶された記憶媒体６４が接続されている。ここで、記憶媒体６４に記憶されているプログラムは、上述した有価媒体処理装置１０の記憶媒体５８に記憶されたプログラム５９と同様の内容となっている。このような記憶媒体６４はＲＯＭやＲＡＭなどのメモリー、フラッシュメモリ、ハードディスク、ＣＤ−ＲＯＭ、ＤＶＤ−ＲＯＭなどのディスク状記憶媒体、その他の公知な記憶媒体から構成され得る。記憶媒体６４は管理装置６０に内蔵されていてもよいし、あるいは、管理装置６０に対して取り付け可能な外部装置であってもよい。記憶媒体６４が制御部６２に接続されると、制御部６２は記憶媒体６４に記憶されているプログラムに沿って有価媒体処理装置１０の各構成部材に処理を実行させるようになっている。
【００６２】
図３に示すような有価媒体処理システム１では、有価媒体処理装置１０において残置回収処理を行う際に、管理装置６０の制御部６２は、有価媒体処理装置１０のカセット装着部２６（カセット接続部）に接続された千円札の収納カセット３６（第２のカセット）に収納されている第２の種別の有価媒体（例えば、千円札）のうち、残置回収処理において回収されるべき有価媒体を、カセット装着部２２（カセット装着部）に装着された一万円札の収納カセット３２（第１のカセット）に送るよう搬送部１４の制御を行うようになっている。より詳細に説明すると、有価媒体処理装置１０の制御部５０が当該有価媒体処理装置１０の各構成部材の制御を行うのではなく、管理装置６０の制御部６２が有価媒体処理装置１０に指令を送ることによって当該有価媒体処理装置１０の各構成部材の制御を行うことにより、図４に示すフローチャートの流れに沿った動作を有価媒体処理装置１０に行わせるようになっている。
【００６３】
また、上述した有価媒体処理装置１０が搭載されるのは、商業施設等に設けられる自動券売機や電子マネーチャージ機に限定されることはない。本実施の形態による有価媒体処理装置１０がショッピングセンターやコンビニエンスストア等の商業施設のフロント領域に設置されるＡＴＭ、釣銭機、自動販売機、出納機等に搭載されるようになっていてもよい。
【００６４】
また、本実施の形態の有価媒体処理装置１０が、商業施設等において電子マネーチャージ機能を備えた精算機の内部に搭載される場合には、当該有価媒体処理装置１０の内部には、店舗の売上金としての紙幣と、チャージされた預かり金としての紙幣とが混在した状態で収納されるようになる。従来の有価媒体処理装置１０では、このような有価媒体処理装置において、回収を行うに際しては、店舗の売上金としての紙幣と、チャージされた預かり金としての紙幣が混在した状態で、まとめて回収していた。しかしながら、店舗の売上金と、チャージされた預かり金は、回収する人物が異なる場合がある。この場合、舗の売上金と、チャージされた預かり金を別々に回収したい要望がある。この要望に対し、本実施の形態の有価媒体処理装置１０では、各収納カセット３２、３４、３６において店舗の売上金としての紙幣とチャージされた預かり金としての紙幣とを混在した状態で収納するとともに、回収処理が行われる際に各収納カセット３２、３４、３６間で紙幣を移動させることにより店舗の売上金としての紙幣とチャージされた預かり金としての紙幣とを分離して回収させるようになっている。このような技術的事項について以下に詳述する。
【００６５】
本実施の形態の有価媒体処理装置１０において一万円札の収納カセット３２に例えば１０枚の一万円札が収納されているときに、チャージされた預かり金としての紙幣の回収処理の指令が制御部５０に入力された場合に、このチャージされた預かり金としての紙幣の金額が１０万円であるときには、一万円札の収納カセット３２に収納されている紙幣の合計金額と、チャージされた預かり金としての紙幣の金額とが同じであるため、カセット装着部２２においてロック機構２２ａによる収納カセット３２のロックが解除され、操作者は一万円札の収納カセット３２をカセット装着部２２から取り出すことができるようになる。このことにより、チャージされた預かり金としての１０万円分の紙幣を一万円札の収納カセット３２により回収することができるようになる。
【００６６】
一方、チャージされた預かり金としての紙幣の金額が９万５千円であるときには、一万円札の収納カセット３２に収納されている紙幣の合計金額が、チャージされた預かり金としての紙幣の金額よりも多いため、まず、一万円札の収納カセット３２から１枚の一万円札が五千円札の収納カセット３４に送られ、その後、千円札の収納カセット３６から５枚の千円札が一万円札の収納カセット３２に送られる。その後、カセット装着部２２においてロック機構２２ａによる収納カセット３２のロックが解除され、操作者は一万円札の収納カセット３２をカセット装着部２２から取り出すことができるようになる。このことにより、チャージされた預かり金としての９万５千円分の紙幣を一万円札の収納カセット３２により回収することができるようになる。その後、空の収納カセット３２がカセット装着部２２に装着されると、五千円札の収納カセット３４から一万円札の収納カセット３２に１枚の一万円札が戻される。
【００６７】
また、チャージされた預かり金としての紙幣の金額が１０万５千円であるときには、一万円札の収納カセット３２に収納されている紙幣の合計金額が、チャージされた預かり金としての紙幣の金額よりも少ないため、千円札の収納カセット３６から５枚の千円札が一万円札の収納カセット３２に送られる。その後、カセット装着部２２においてロック機構２２ａによる収納カセット３２のロックが解除され、操作者は一万円札の収納カセット３２をカセット装着部２２から取り出すことができるようになる。このことにより、チャージされた預かり金としての１０万５千円分の紙幣を一万円札の収納カセット３２により回収することができるようになる。
【００６８】
また、チャージされた預かり金としての紙幣の回収処理の指令が制御部５０に入力される代わりに、店舗の売上金としての紙幣の回収処理の指令が制御部５０に入力された場合でも、各収納カセット３２、３４、３６間で紙幣を移動させることにより、例えば一万円札の収納カセット３２に収納されている紙幣の金額を、回収されるべき店舗の売上金としての紙幣の金額と同じにする。このことにより、店舗の売上金としての紙幣を一万円札の収納カセット３２により回収することができるようになる。
【００６９】
このように、上述した動作を行う有価媒体処理装置１０によれば、１台の装置によって店舗の売上金としての紙幣とチャージされた預かり金としての紙幣とを分離させることができるため、現金管理の厳正化を図ることができる。また、チャージされた預かり金としての紙幣を収納カセット３２により回収するため、操作者がこのチャージされた預かり金としての紙幣に手を触れることなく回収することができるようになる。また、上述した有価媒体処理装置１０の動作において、店舗の売上金としての紙幣とチャージされた預かり金としての紙幣とを同時に回収する場合には、２つの収納カセット（例えば、一万円札の収納カセット３２および五千円札の収納カセット３４）を用いることにより両方の紙幣を同時に回収するようにしてもよい。
【００７０】
また、上記の説明では本発明に係る有価媒体処理装置が紙幣および商品券等を含む有価媒体を処理する場合について述べたが、このような例に限定されることはない。別の例として、本発明に係る有価媒体処理装置として、例えば、紙幣のみの処理を行う紙幣処理装置が用いられてもよい。
【００７１】
また、本発明に係る有価媒体処理装置において、有価媒体として硬貨の処理を行うものが用いられてもよい。具体的には、有価媒体として硬貨の処理を行う有価媒体処理装置では、着脱可能な第１の硬貨収納カセットが装着された状態において、当該第１の硬貨収納カセットに収納されている第１の金種の硬貨が繰出可能であるカセット装着部と、第２の硬貨収納カセットが接続された状態において、当該第２の硬貨収納カセットに収納されている、第１の金種の硬貨よりも出金すべき数量が多い第２の金種の硬貨が繰出可能であるカセット接続部とがそれぞれ設けられている。また、カセット装着部に装着された第１の硬貨収納カセットおよびカセット接続部に接続された第２の硬貨収納カセットから繰り出された硬貨を搬送する搬送部が設けられている。そして、残置回収処理を行う際に、カセット接続部に接続された第２の硬貨収納カセットに収納されている第２の金種の硬貨のうち、残置回収処理において回収されるべき硬貨を、カセット装着部に装着された第１の硬貨収納カセットに送るようになっている。
【００７２】
このような有価媒体として硬貨の処理を行う有価媒体処理装置によれば、残置回収処理を行う際に、第１の硬貨収納カセットに硬貨を送り、この硬貨収納カセットにより硬貨を回収するようになる。このように、第２の硬貨収納カセットよりも収納している硬貨を出金すべき数量が少ない第１の硬貨収納カセットにより硬貨を回収することによって、硬貨の残置回収処理を効率良く行うことができる。より詳細に説明すると、カセット装着部から第１の硬貨収納カセットを取り出した後も、第１の金種の硬貨よりも出金すべき数量が多い第２の金種の硬貨が収納される第２の硬貨収納カセットはカセット接続部に接続されたままとなるため、この第２の硬貨収納カセットを用いて硬貨の入金処理や出金処理を引き続き行うことができるようになる。とりわけ、硬貨の出金処理を行う際に、第２の硬貨収納カセットはカセット接続部に接続されたままとなるため、第１の硬貨収納カセットがカセット装着部から取り出されても出金すべき数量が多い第２の金種の硬貨の出金処理を問題なく行うことができるようになる。
【符号の説明】
【００７３】
１      有価媒体処理システム
１０    有価媒体処理装置
１２    入金部
１２ａ  繰出機構
１３    入金識別部
１４    搬送部
１６    識別部
１８    払出部
２０    リジェクト部
２２、２４、２６  カセット装着部
２２ａ、２４ａ、２６ａ  ロック機構
２２ｂ、２４ｂ、２６ｂ  リーダライタ
３２、３４、３６  収納カセット
３２ａ、３４ａ、３６ａ  繰出機構
５０    制御部
５２    操作表示部
５３    報知部
５４    記憶部
５６    通信部
５８    記憶媒体
５９    プログラム
６０    管理装置
６２    制御部
６４    記憶媒体
７０    ＬＡＮ
【図１】
2019079180.tif 000003
【図２】
2019079180.tif 000004
【図３】
2019079180.tif 000005
【図４】
2019079180.tif 000006
【図５】
2019079180.tif 000007
【図６】
2019079180.tif 000008
【図７】
2019079180.tif 000009